(57)【要約】【課題】表向きまたは逆向きに折り畳んで使用中に形状を変化することが可能な平行四辺形折り畳み式携帯電話を提供すること。【解決手段】４個のモジュール組立体および枢動可能に接合された４個の二軸接続ブロックとを備え、接続凹部および一対の枢動接続部品を有する接続端は、各モジュール組立体の上側および下側にそれぞれ配置される。各２個の隣接するモジュール組立体の隣接する接続端の対応する接続凹部は、接続ブロック凹部の一つを協調的に受け入れ、接続ブロックの各軸は、２個の隣接するモジュール組立体を枢動可能に接続するために、それぞれ２個の隣接するモジュール組立体の一つの一対の枢動接続部品に枢動可能に接続する。【選択図】図１
0003139121.tif 000002
【実用新案登録請求の範囲】
【請求項１】
４個のモジュール組立体および枢動可能に接合された２本の軸を有する４個の接続ブロックからなる平行四辺形折り畳み式携帯電話であって、
接続凹部および一対の枢動接続部品を有する接続端が、各モジュール組立体の上側および下側にそれぞれ配置され、
各２個の隣接するモジュール組立体の隣接する接続端の対応する接続凹部が、その中に接続ブロックの一つを協調的に受け入れ、
接続ブロックの各軸が、２個の隣接するモジュール組立体のいずれかの一対の枢動接続部品に枢動可能に接続され、それによって、各モジュール組立体は、その上方または下方の接続端で枢動可能に接続された隣接するモジュール組立体のいずれかに対して連続して位置決できることを特徴とする、
平行四辺形折り畳み式携帯電話。
【請求項２】
請求項１において、４個のモジュール組立体が、情報を表示するための画面を有する１個の携帯電話ディスプレイモジュール、情報受信または送信機能を有する１個の携帯電話メインフレームモジュールを備え、および残りの２個のモジュール組立体が、電源モジュール、レンズを有するデジタルカメラモジュール、メモリモジュール、ブルートゥースモジュール、ＧＰＳモジュール、およびＭＰ３モジュールから成る群の内の１個または２個から選択されることを特徴とする、平行四辺形折り畳み式携帯電話。
【請求項３】
請求項２において、携帯電話本体モジュールが、プレス型またはタッチ型ボタンを備えることを特徴とする、平行四辺形折り畳み式携帯電話。
【請求項４】
請求項２または請求項３において、接続ブロックが、ＵＳＢソケットを備えることを特徴とする、平行四辺形折り畳み式携帯電話。
【請求項５】
４個のモジュール組立体および８個の二軸ヒンジを備える平行四辺形折り畳み式携帯電話であって、
各二軸ヒンジは、２個の平行軸を有し、枢動接続ブロックは、各モジュール組立体の上側および下側からそれぞれ突出され、
円形スロットは、各二軸ヒンジの軸の一つがその中に配置されるために枢動接続ブロックの２つの側面にそれぞれ配置され、
各二軸ヒンジの軸は、各２個の隣接するモジュール組立体の枢動接続ブロックの対応する側面にそれぞれ枢動可能に接続され、それによって、各モジュール組立体は、その上方または下方の接続端で枢動可能に接続された隣接するモジュール組立体のいずれかに対して連続して位置決めできることを特徴とする、
平行四辺形折り畳み式携帯電話。
【請求項６】
４個のモジュール組立体、１個以上の接続ブロック、および枢動可能に接続するための２個以上の二軸ヒンジを備える平行四辺形折り畳み式携帯電話であって、
各接続ブロックは、二軸構造を有し、
各二軸ヒンジは、２個の平行軸を有し、接続凹部および一対の枢動接続部品を有する接続端は、各モジュール組立体の一つの側面に配置され、
接続ブロックは、モジュール組立体のその反対の側面から突出され、
円形スロットは、前記二軸ヒンジの軸の一つを枢動可能に受け入れるために枢動接続ブロックの２個の側面でそれぞれ配置され、
各２個の隣接するモジュール組立体の隣接する接続端の対応する接続凹部は、その中に接続ブロックの一つを協調的に受け入れ、
接続ブロックの各軸は、２個の隣接するモジュール組立体の一つの一対の枢動可能部品に枢動可能に接続され、
各二軸ヒンジの軸は、各２個の隣接するモジュール組立体の枢動接続ブロックの対応する側面にそれぞれ枢動可能に接続され、それによって、各モジュール組立体は、その上方または下方の接続端で枢動可能に接続された隣接するモジュール組立体のいずれかに対して連続して位置決めできることを特徴とする、平行四辺形折り畳み式携帯電話。
【請求項７】
請求項６において、４個のモジュール組立体の１個が、複数の枢動可能に接続されたチェーンモジュールによって構成されることを特徴とする、平行四辺形折り畳み式携帯電話。
【考案の詳細な説明】
【技術分野】
【０００１】
本考案は、平行四辺形折り畳み式携帯電話に関し、より具体的には、表向きまたは逆向きに折り畳んで使用中に形状を変化することが可能な平行四辺形折り畳み式携帯電話に関する。
【背景技術】
【０００２】
先行技術において、折り畳み式携帯電話は、ディスプレイモジュールおよびメインフレームモジュールを有する。ディスプレイモジュールは、単軸によってメインフレームモジュールに枢動可能に接続される。従って、折り畳み式携帯電話は、小型で持ち運び可能であるという利点を有する。それは、ディスプレイモジュールが、メインフレームモジュールに対して上方に１８０度引き起こされるか、またはメインフレームモジュールを覆うことができるからである。
【０００３】
その他の従来の折り畳み式携帯電話も、ディスプレイモジュールおよびメインフレームモジュールを有するが、ディスプレイモジュールおよびメインフレームモジュールは、それぞれ二軸接続ブロックの軸の各々に枢動可能に接続される。そのような折り畳み式携帯電話のディスプレイモジュールは、０度から３６０度まで調節可能な使用角度を有する。より具体的には、折り畳み式携帯電話の使用法および機能は、メインフレームモジュールの背部に対してディスプレイモジュールを３６０度相対的に折り畳む事によって拡張され、向上されることができる。
【考案の開示】
【考案が解決しようとする課題】
【０００４】
それでもなお、上述の従来の携帯電話にあっては、表向きまたは逆向きに折り畳んだり、使用中にその形状を変化させることができない。
【課題を解決するための手段】
【０００５】
本考案の一つの目的は、４個のモジュール組立体および枢動可能に接合された４個の二軸接続ブロックからなる平行四辺形折り畳み式携帯電話を提供することであり、その平行四辺形折り畳み式携帯電話において、接続凹部および一対の枢動接続部品を有する接続端は、各前記モジュール組立体の上側および下側にそれぞれ配置される。各２個の隣接モジュール組立体の隣接する接続端の対応する接続凹部は、接続ブロックの一つを内部に協調的に受け入れ、接続ブロックの各軸は、２個の隣接するモジュール組立体の一つの一対の枢動接続部品に枢動可能に接続される。そのような構造によって、平行四辺形折り畳み式携帯電話は、拡張すること、および表向きまたは逆向きに折り畳んで使用中に形状を変化することが可能になる。
【０００６】
本考案の別の目的は、４個のモジュール組立体および８個の二軸ヒンジを備える、異なる構造を有する平行四辺形折り畳み式携帯電話を提供することであり、その平行四辺形折り畳み式携帯電話において、各二軸ヒンジは、２個の平行軸を有する。枢動接続ブロックは、各モジュール組立体の上側および下側からそれぞれ突出している。円形スロットは、各二軸ヒンジの軸の一つが内部に配置されるように、枢動接続ブロックの２個の側面にそれぞれ配置される。各二軸ヒンジの軸は、各モジュール組立体の隣接する接続を構成する枢動接続ブロックの一側面に枢動可能に接続される。そのような構造によって、平行四辺形折り畳み式携帯電話は、拡張すること、および表向きまたは逆向きに折り畳んで使用中に形状を変化することが可能になる。
【０００７】
本考案のさらに別の目的は、４個のモジュール組立体、１個以上の接続ブロック、および枢動可能に接合された２個以上の二軸ヒンジを備える、異なる構造を有する平行四辺形折り畳み式携帯電話を提供することであり、その平行四辺形折り畳み式携帯電話において、各接続ブロックは、２本の軸を有し、各二軸ヒンジは、２個の平行軸を有し、接続凹部および一対の枢動接続部品を有する接続端は、接続ブロックが、互いに対応する接続凹部に配置されるように、各枢動可能に接続された隣接するモジュール組立体の一側面に配置される。接続ブロックの各軸は、各隣接するモジュール組立体の枢動接続を構成するために枢動接続部品に枢動接続される。各二軸ヒンジの軸は、隣接する各モジュール組立体の接続を構成する枢動接続ブロックの一側面に枢動可能に接続される。そのような構造によって、平行四辺形折り畳み式携帯電話は、拡張すること、および表向きまたは逆向きに折り畳んで使用中に形状を変化することが可能になる。
【０００８】
そこでは、４個のモジュール組立体は、情報を表示するための画面を有する携帯電話表示モジュールと、情報送信または受信機能を有する携帯電話メインフレームモジュールと、電源モジュール、メモリモジュール、ブルートゥースモジュール、ＧＰＳモジュール、およびＭＰ３モジュールから選択される１または２個のモジュールとを含む様々なまたは同一の機能を有するモジュール組立体であることができる。接続ブロックの二軸ヒンジは、音声受信機または送信機、デジタルカメラレンズ、またはＵＳＢソケット等の、より多くの電子周辺機器によって延長されることができる。
【考案を実施するための最良の形態】
【０００９】
図１乃至図４に示されるように、本考案の第１の好ましい実施形態に係る平行四辺形折り畳み式携帯電話１０は、４個のモジュール組立体および枢動可能に接合された２個の軸７０を有する４個の接続ブロック６０から構成され、それによって、平行四辺形折り畳み式携帯電話１０は、表向きまたは逆向きに折り畳んで使用中に形状を変化することができる。
【００１０】
各前記接続ブロック６０は、それぞれ枢動可能に軸７０を受け入れるための２個の枢動孔６１を有し、従って、各前記接続ブロック６０は、二軸７０構造を有している。
【００１１】
図１乃至図４に示されるように、平行四辺形折り畳み式携帯電話１０の４個のモジュール組立体は、枢動接続の順に、第１モジュール組立体２０、第２モジュール組立体３０、第３モジュール組立体４０、第４モジュール組立体５０を含む。各モジュール組立体２０、３０、４０、および５０の上側および下側にそれぞれ形成された接続端は、接続凹部Ｂおよび一対の枢動接続部品Ａ１およびＡ２を有する。接続凹部Ｂは、対応する接続ブロック６０がその中に枢動可能に配置されるためであり、加えて、円形スロットＣは、接続ブロック６０の軸７０を枢動可能に受け入れるために、枢動接続凹部Ｂの方を向く接続部品Ａ１およびＡ２の２つの側面にそれぞれ配置される。従って、図３に示されるように、接続ブロック６０の二軸７０構造により、モジュール組立体２０、３０、４０、または５０の各前記接続端は、対応する接続ブロック６０の軸７０の一つに枢動可能に接続される。
【００１２】
従って、図３に示されるように、各前記接続ブロック６０の２つの軸７０が、各モジュール組立体２０、３０、４０、および５０の各２個の一対の接続部品Ａ１およびＡ２にそれぞれ枢動可能に接続され、モジュール組立体２０、３０、４０、５０および４個の接続ブロック６０は、本考案の第１の実施形態に従う平行四辺形折り畳み式携帯電話１０を、一体となって構成する。そのような構造は、使用中に以下の機能を有する。
（１）図１および図２に示されるように、本考案の平行四辺形折り畳み式携帯電話１０は、拡張することおよび表向きまたは逆向きに折り畳むことができ、それによって、使用中に形状において変化可能である。
【００１３】
例えば、平行四辺形折り畳み式携帯電話１０は、拡張して平行四辺形の本体になる、または折り畳んでユーザの容易な操作および使用のために一般的な携帯電話の形状になることができる。
（２）図４に示されるように、本考案の平行四辺形折り畳み式携帯電話１０を、同一方向に連続的に折り畳んで使用中に形状を変化することができる。
（３）開示された対象の形状適応性によって、設計者が、本考案の平行四辺形折り畳み式携帯電話１０に追加的な様々な用法および機能を備えさせることを可能にする。
【００１４】
例えば、本考案の接続ブロック６０は、前記２本の軸７０に加えて、内部に配置されたフレキシブルフラットケーブルを有し、それによって、接続ブロック６０が音声受信および送信機能を実行することが可能である。或いは、接続ブロック６０にデジタルカメラレンズまたはＵＳＢソケットを備えることもできる。
【００１５】
そうでなければ、図１または図２に示されるように、平行四辺形折り畳み式携帯電話１０を表向きまたは逆向きに折り畳むことによって、第１モジュール組立体２０は、第２モジュール組立体３０の隣、または第４モジュール組立体５０の隣に位置決めされることができ、それによって、平行四辺形折り畳み式携帯電話１０は、様々な使用形態を提供する。
【００１６】
例えば、第１モジュール組立体２０は、情報表示機能を有する携帯電話表示モジュールであることができ、入力／出力情報を表示するための画面２１を有することができる。第２モジュール組立体３０は、情報送信／受信機能を有する携帯電話メインフレームモジュールであることができ、情報の入力または出力を制御するためのプレス型またはタッチ型ボタン３１を有することができる。第３モジュール組立体４０または第４モジュール組立体５０は、電源モジュール、デジタルカメラモジュール、または、メモリモジュール、ブルートゥースモジュール、ＧＰＳモジュール、またはＭＰ３モジュール等の平行四辺形折り畳み式携帯電話１０と互換性のあるその他の関連する電子機器モジュールでもよい。
【００１７】
第３モジュール組立体４０および第４モジュール組立体５０が、両方とも電源モジュールである場合、平行四辺形折り畳み式携帯電話１０の電気容量は２倍にされ、従って、平行四辺形折り畳み式携帯電話１０に長くなった連続使用持続時間を与える。
【００１８】
特に、第４モジュール組立体５０が、レンズ５１を有するデジタルカメラモジュールである時、ユーザは、図１に示される位置での平行四辺形折り畳み式携帯電話１０の第１モジュール組立体２０の画面２１で、撮影した写真を見ることができる。そうでなければ、ユーザは、図２に示される逆向きに折り畳まれた位置での平行四辺形折り畳み式携帯電話１０の第１モジュール組立体２０の画面２１で、自分で撮影した自画像を見ることができる。
【００１９】
繰り返しの記述を省略するため、第２または第３の好ましい実施形態で使用されるコンポーネントは、第１の好ましい実施形態で引用されたものと同一または実質的に同一であり、同一のコンポーネント表記、定義、および機能によって記述される。従って、先の記述に参照されることができる第２または第３の好ましい実施形態で使用されるコンポーネントには、不必要な詳細を与えない。
【００２０】
図５乃至図８に示されるように、本考案の第２の好ましい実施形態に係る平行四辺形折り畳み式携帯電話１０は、４個のモジュール組立体および枢動可能に接合された８個の二軸ヒンジ８０から構成される。
【００２１】
そこにおいて、各二軸ヒンジ８０は、２個の平行軸８１を有する。４個のモジュール組立体は、第１モジュール組立体２０、第２モジュール組立体３０、第３モジュール組立体４０、および第４モジュール組立体５０を含む。突出した接続端は、各前記モジュール組立体２０、３０、４０、および５０の上側および下側にそれぞれ枢動接続ブロックＡ３を突き出すことによって形成される。円形スロットＣは、モジュール組立体２０、３０、４０、および５０の各接続ブロックＡ３の２つの側面にそれぞれ配置される。従って、モジュール組立体２０、３０、４０、および５０の各前記接続ブロックＡ３の２つの側面は、前記一対の二軸ヒンジ８０の軸８１の一つによってそれぞれ枢動可能に係合される。
【００２２】
従って、図７に示されるように、８個の二軸ヒンジ８０は、各一対の隣接するモジュール組立体２０、３０、４０、および５０の各前記２個の隣接する接続ブロックＡ３にそれぞれ枢動可能に接続され、モジュール組立体２０、３０、４０、５０および８個の二軸ヒンジ８０は、枢動可能に接続されて、本考案の平行四辺形折り畳み可能携帯電話１０を構成する。
【００２３】
図５乃至図８に示されるように、平行四辺形折り畳み式携帯電話１０は、表向きまたは逆向きに折り畳まれて使用中に形状を変化し、第１の好ましい実施形態において記述されたような機能を有することもできる。
【００２４】
図９乃至図１１に示されるように、本考案の第３の好ましい実施形態に係る平行四辺形折り畳み式携帯電話１０の基本構造は、４個のモジュール組立体、１個以上の接続ブロック６０、および枢動可能に接続された２個以上の二軸ヒンジ８０を含む。
【００２５】
既に言及したように、接続ブロック６０は、二軸７０構造を有し、二軸ヒンジ８０は、２個の平行軸８１を有する。４個のモジュール組立体は、第１モジュール組立体２０、第２モジュール組立体３０、第３モジュール組立体４０、および第４モジュール組立体５０を含む。４個のモジュール組立体の各々は、接続凹部Ｂおよび一対の枢動接続部品Ａ１およびＡ２を有する接続端へと形成された一側面を有し、一方、反対の側面は、突き出た枢動接続ブロックＡ３を有する別の接続端へと形成される。
【００２６】
従って、各前記接続ブロック６０の軸７０が、それぞれ隣接するモジュール組立体２０、３０、４０、および５０の一対の枢動接続ブロックＡ１およびＡ２にそれぞれ枢動可能に接続され、一方、二軸ヒンジ８０が、各２個の隣接するモジュール組立体２０、３０、４０、および５０の２個の隣接する枢動接続ブロックＡ３をそれぞれ枢動可能に接続した後、モジュール組立体２０、３０、４０、および５０、接続ブロック６０、および二軸ヒンジ８０は、本考案に従う平行四辺形折り畳み式携帯電話１０を、一体となって構成する。
【００２７】
加えて、図９乃至図１１に示されるように、各前記第１モジュール組立体２０、第２モジュール組立体３０、第３モジュール組立体４０、および第４モジュール組立体５０は、複数の枢動可能に接続されたチェーンモジュールから構成される。例えば、第２モジュール組立体３０は、ボタンモジュール３０ａ、機能切り替えモジュール３０ｂ、および信号受信モジュール３０ｃから構成される、第４モジュール組立体５０は、２個の接続ブロックモジュール５０ａおよび機能切り替えモジュール５０ｂから構成される。
【００２８】
上述の平行四辺形折り畳み式携帯電話１０も、表向きまたは逆向きに折り畳んで、使用中に形状を変化すること、および第１の好ましい実施形態において記述されたものと同じ機能を有することができる。
【図面の簡単な説明】
【００２９】
【図１】本考案の第一の好ましい実施形態に従う平行四辺形折り畳み式携帯電話を表向きに折り畳んで使用中に形状を変化することを示す斜視図である。
【図２】本考案の第１の好ましい実施形態に従う平行四辺形折り畳み式携帯電話を逆向きに折り畳んで使用中に形状を変化することを示す斜視図である。
【図３】本考案の第１の好ましい実施形態に従う平行四辺形折り畳み式携帯電話を示す部分分解図である。
【図４】本考案の第１の好ましい実施形態に従う平行四辺形折り畳み式携帯電話を同一方向へ連続的に折り畳んで使用中に形状を変化することを示す斜視図である。
【図５】本考案の第２の好ましい実施形態に従う平行四辺形折り畳み式携帯電話を表向きに折り畳んで使用中に形状を変化することを示す斜視図である。
【図６】本考案の第２の好ましい実施形態に従う平行四辺形折り畳み式携帯電話を逆向きに折り畳んで使用中に形状を変化することを示す斜視図である。
【図７】本考案の第２の好ましい実施形態に従う平行四辺形折り畳み式携帯電話を示す部分分解図である。
【図８】本考案の第２の好ましい実施形態に従う平行四辺形折り畳み式携帯電話を同一方向へ連続的に折り畳んで使用中に形状を変化することを示す斜視図である。
【図９】本考案の第３の好ましい実施形態に従う平行四辺形折り畳み式携帯電話を表向きに折り畳んで使用中に形状を変化することを示す斜視図である。
【図１０】本考案の第３の好ましい実施形態に従う平行四辺形折り畳み式携帯電話を逆向きに折り畳んで使用中に形状を変化することを示す斜視図である。
【図１１】本考案の第３の好ましい実施形態に従う平行四辺形折り畳み式携帯電話を同一方向へ連続的に折り畳んで使用中に形状を変化することを示す斜視図である。
【図１】
0003139121.tif 000003
【図２】
0003139121.tif 000004
【図３】
0003139121.tif 000005
【図４】
0003139121.tif 000006
【図５】
0003139121.tif 000007
【図６】
0003139121.tif 000008
【図７】
0003139121.tif 000009
【図８】
0003139121.tif 000010
【図９】
0003139121.tif 000011
【図１０】
0003139121.tif 000012
【図１１】
0003139121.tif 000013